(57)【要約】【課題】  床面の傷つけを最小限に防止し、容易かつ完全に埋設管を引き抜くことで作業の省力化を図る。【解決手段】  引き抜く管の周囲に油圧シリンダー４を設けて、分割可能な本体に引き抜かれる管の鉛直上方向にはこれをさえぎるものがないようにチャック６を収納するハウジングを配置すべく構成し、油圧シリンダー４が収縮した場合には管からチャック６が容易に外れるようにした。【選択図】図１
2014152926.tif 000002
【特許請求の範囲】
【請求項１】
外周にテーパを有するチャックとそれに対応するテーパを有する天井部を備え、油圧シリンダーの伸長により、埋設した管の外周に食い込ませ引き抜く工具であって、本体は分割可能とし、フックで固着する構造を有し、埋設した管の引き抜き作業を容易にすることを特徴とする改修補助工具。
【発明の詳細な説明】
【技術分野】
【０００１】  本発明は床面に埋設された老朽化した排水管及び高層住宅の排水集合管等の埋設管を新品に取り換え等をするため、既存の管を除去する工法に関する。
【背景技術】
【０００２】  従来の既存の管を除去する工法としては、管が埋設している管の外周部分の床面等を破砕し既存の管と床面等を分離させ、開放された管を除去すべく引き抜く工法が一般的に採用されている。【０００３】  更に、当該埋設管をその周囲の床面等を破砕することなく、埋設管を引き抜くことにより、床面等から埋設管を除去する技術も開発されているところである。【０００４】  以下に従来技術の例として、埋設管の周囲を破砕することなく、埋設管を引き抜く工法を図３乃至図６により説明する。【０００５】  ６はチャックであり、天井部１３との接触部がテーパ状であるため、油圧シリンダー４の伸長により、老朽化した排水管１１の外周に食い込むと同時に、ベース２を支点に床面１５から老朽化した排水管１１を一定量を引き抜くことができる。【０００６】  そして、油圧シリンダー４が収縮するとチャック６のテーパ部の伸長作用による内向きの応力が消滅し、天井部１３の天面１４に規制され、チャック６は老朽化した排水管１１への食い込みを開放し、同時に重力によりチャック６は上部プレート１の上面に位置し、老朽化した排水管１１の下方に位置することになる。【０００７】  この一連の作業を繰り返すことにより床面１５から老朽化した排水管１１を完全に引き抜くことを可能とするものである。
【先行技術文献】
【０００８】
【特許文献１】  特願２０１１−３３８８３
【発明の開示】
【発明が開示しようとする課題】
【０００９】  以上に述べた従来の改修補助工具では老朽化した排水管が床面から一定の長さを有することが必要であり、高層集合住宅の排水集合管を引き抜く場合には、老朽化した排水管の所定の位置を切断しなければならず、かかる改修補助工具を排水管の上方から嵌め込むだけの空間が必要になるものであった。
【００１０】  すなわち、改修補助工具の高さ分と老朽化した排水管の床面から突出した長さ以上の空間が必要となるのであり、床面とその個所の天井との間には、一定量の空間がなければならない。例えば、洗面シンクのボックス内に老朽化した排水管が位置するような場合には、洗面シンクのボックスを取り外した後でないと、作業が行い得ないことになる。
【００１１】  本発明はこのような従来の改修補助工具の作業空間の確保が必要になるという問題を解決しようとするものであり、少なくとも補助工具の高さ分と引き抜かれた老朽化した排水管が改修補助工具から油圧シリンダーのストロークの分だけの空間があれば当該作業を可能とすることを目的とするものである。
【課題を解決するための手段】
【００１２】  本発明は上記目的を達成するために、老朽化した排水管に補助工具を上方から嵌め込むのではなく、分割した改修補助工具を老朽化した排水管の水平方向に挟みこんで組み立てることによって、床面とその個所の天面との間の空間を最小限にすることを可能としたものである。
【００１３】  また、本発明の改修補助工具の組み立てに際しては、狭い空間でも簡易にかつ確実に補助工具の機能を発揮せしめるべく、いわゆるフックで固着することとしたものである。
【発明の効果】
【００１４】  上述したように本案発明の改修補助工具は狭い空間での老朽化した排水管の引き抜きを容易にすることができ、さらに老朽化した排水管の引き抜き作業の前後の改修補助工具の着脱を容易かつ確実にするという効果を発揮する。
【００１５】  また、本案発明の改修補助工具は、埋設した管の引き抜きを簡易に作業することができるため、公道上の道路標識を取り換える際の作業ついても使用することができ、この場合には、従来技術における、上から嵌め込む補助工具では道路標識のポール部分を一定量に寸断をする必要があるが、その切断に際しては、標識の上部の重量が大きいため、切断時には一人が標識を支えて、別の者が切断作業を行うことになるであろう。
【００１６】  本案発明の改修補助工具においては、道路標識のポール部分を切断する必要がなく、作業者が単独で、道路標識のポール部分を支えたままで、引き抜く作業をすることができ、省人かつ簡易な作業性を実現するものである。
【００１７】  更に、公道上のガードレールの取り換え工事において、古いガードレールを除去する場合についても、ガードレールの本体部分と路上に埋設したポール部分を寸断する必要がなく、簡易な作業で執り行えるであろう。
【発明を実施するための最良の形態】
【００１８】  以下、本発明の実施の形態を図１乃至図６に基づいて説明する。【００１９】  図１において、２０は改修補助工具Ａであり、２１は改修補助工具Ｂであり、それぞれ分割自在であり、フック２２をフック用支柱２３にかけた場合は改修補助工具Ａ２０及びＢ２１は固着し、フックを外した場合には補助工具Ａ２０及びＢ２１が分割可能となる。【００２０】  床面１５の表面であって老朽化した排水管１１の外周に改修補助工具Ａ２０及び改修補助工具Ｂ２１を配置し、フック２２がフック用支柱２３にかけることができるように密着させ、フックをかけて改修補助工具を完全に固着する。【００２１】  ここで、フック２２をフック支柱２３にかけた場合には、前述の従来発明の改修補助工具と同様の形状となる。【００２２】  このように、老朽化した排水管１１に改修補助工具を設置するための、老朽化した排水管１１の上方から改修補助工具を嵌め込むという必要はなくなるのである。【００２３】  チャック６は複数に分断しており、改修補助工具Ａ２０及び改修補助工具Ｂが老朽化した排水管１１の周囲に配置した後、チャック６をチャックガイド３に配置する。【００２４】  油圧シリンダー４は通常、縮んだ状態になっていて、油圧の設定で伸ばすことができる。すなわち、油圧の伸長に与える加圧停止状態においては、チャック６をチャックガイド３に配置した時点では、改修補助工具の全長は最短状態になっていて、老朽化した排水管１１の引き抜き作業の初期段階となる。【００２５】この油圧シリンダー４に調整弁５を伸長方向の圧力に設定し、その加圧による伸長作用から、油圧シリンダー４と同期して改修補助工具の全長も伸びることになる。【００２６】  そして、油圧の加圧により改修補助工具は伸長荷重がかかり、上部プレート１のテーパとチャック６のテーパの作用により、チャック６には内側に荷重がかかり、チャック６は老朽化した排水管１１の外周に食い込み、同時に床面１５から老朽化した排水管１１を引っ張る応力によって、引き抜かれることになる。【００２７】  改修補助工具が最長の状態になると、そのストローク分だけ床面１５から老朽化した排水管１１は一定量、引き抜かれた状態になり、次に、調整弁５を切り替えて油圧シリンダー４を収縮する方向への油圧の設定により油圧シリンダー４は収縮することになる。上部プレート１とチャック４のテーパの作用により老朽化した排水管１１に食い込んだチャック４には内側への応力が消滅することになり、老朽化した排水管１１は床面１５との摩擦抵抗が大きく、改修補助工具の収縮には同期せずに一定の寸法分だけ抜け出て止まった状態になる。【００２８】  そして、改修補助工具の全長は最短の状態となり、チャック４は老朽化した排水管１１への食い込み状態によっては、老朽化した排水管１１に密着した状態で止まる場合もあるが、チャック４の自重により落下する。密着した状態で止まる場合には天井部１３に天井部のチャック止め１４を設けることでその密着状態を解消することになる。【００２９】  これで改修補助工具が老朽化した排水管１１の引き抜き作業の初期段階となる。そして、以上の伸縮工程の作業を繰り返すことにより、段階的に老朽化した排水管１１が床面１５から抜け出て��くことになる。【００３０】  一定程度、床面１５から老朽化した排水管１１が抜け出て、手作業でも老朽化した排水管１１を抜き取ることができる状態になったところで、フック支柱２３からフック２２を開放し、チャック４とともに改修補助工具Ａ２０及びＢ２１を分割し当該個所から改修補助工具を取り除き、後は手作業で老朽化した排水管を引き抜くことができる。
【図面の簡単な説明】
【００３１】
【図１】  改修補助工具の一部破砕の正面図
【図２】  改修補助工具の一部破砕の平面図
【図３】  従来発明の改修補助工具の外観正面図
【図４】  従来発明の改修補助工具の一部破砕の正面図
【図５】  チャックの正面図
【図６】  チャックの破砕正面図
【符号の説明】
【００３２】  １      上部プレート
２      ベース
３      チャックガイド
４      油圧シリンダー
５      調整弁
６      チャック
１１      老朽化した排水管
１３      天井部
１４      天井部のチャック止め
１５      床面
２０      改修補助工具Ａ
２１      改修補助工具Ｂ
２２      フック
２３      フック支柱
【図１】
2014152926.tif 000003
【図２】
2014152926.tif 000004
【図３】
2014152926.tif 000005
【図４】
2014152926.tif 000006
【図５】
2014152926.tif 000007
【図６】
2014152926.tif 000008